(57)【特許請求の範囲】
【請求項１】
窓枠内に建て込まれて開口面外方向に開閉される障子の戸先框の見込部に受け具が取り付けられ、前記受け具には、前記戸先框の材長方向に延びてその一端が前記障子の閉止側に開口する溝孔が形成される一方、
前記戸先框と重なり合う窓枠の見込部には、前記窓枠の材長方向に沿って移動する連動部材を介して、前記受け具の溝孔に係脱するロックピンが組み付けられ、
前記障子が閉じられた状態で、前記連動部材が前記ロックピンを前記受け具の溝孔に係合させる「ロック位置」へと移動することにより前記障子が施錠され、前記連動部材が前記ロックピンを前記受け具の溝孔から抜脱させる「アンロック位置」へと移動することにより前記障子が開閉可能になる窓開閉ロック装置において、
前記窓枠には、前記連動部材に前記ロック位置側へ移動する向きの付勢力を与えるとともに、その付勢力に抗して前記連動部材を前記アンロック位置に仮止めする施錠機構が設けられており、
前記障子が閉じられると、前記障子の戸先框に取り付けられたトリガーが前記施錠機構に備えられた施解錠カムに接触して前記連動部材の仮止めが解除され、前記連動部材が前記付勢力によって前記ロック位置へと移動するように構成された
ことを特徴とする窓開閉ロック装置。
【請求項２】
請求項１に記載された窓開閉ロック装置において、
前記施解錠カムは、前記連動部材に対して前記障子の開閉方向に揺動し得るように枢着され、
前記窓枠にはカム案内部を有するカム受け部材が取り付けられて、前記施解錠カムに形成された係合鈎が前記カム案内部に形成された被係合部に係合することにより、前記連動部材が前記アンロック位置に仮止めされ、
前記トリガーに形成された応動片が前記施解錠カムに形成された受動片を前記障子の閉止側へ押し込むことにより、前記施解錠カムの前記係合鈎が前記被係合部から外れて前記仮止め状態が解除される
ことを特徴とする窓開閉ロック装置。
【請求項３】
請求項２に記載された窓開閉ロック装置において、
前記施解錠カムは、前記連動部材にカム取付部材を介して取り付けられており、
前記カム取付部材と前記カム受け部材との間に前記付勢力を与える付勢部材が取り付けられている
ことを特徴とする窓開閉ロック装置。
【請求項４】
請求項２〜３のいずれか一項に記載された窓開閉ロック装置において
前記窓枠には、前記ロック位置にある前記連動部材をレバー操作によって前記アンロック位置側に移動させる解錠機構が設けられており、
前記レバー操作に連動して前記施解錠カムが前記カム受け部材の前記カム案内部内を移動することにより、前記施解錠カムの係合鈎が前記被係合部に係合する
ことを特徴とする窓開閉ロック装置。
【請求項５】
請求項２〜４のいずれか一項に記載された窓開閉ロック装置において、
前記トリガーは、前記障子の戸先框に取り付けられたトリガー取付プレートを介して、前記障子の閉止側に揺動し得るように保持されており、前記障子を開くときには前記カム案内部に掛止されている前記施解錠カムの受動片に前記障子の閉止側から接触して、前記受動片を乗り越えるように回動しながら前記障子の開放側へと移動する
ことを特徴とする窓開閉ロック装置。
【請求項６】
請求項１〜５のいずれか一項に記載された窓開閉ロック装置において、
前記施錠機構には、前記連動部材が前記アンロック位置から前記ロック位置へと移動する際の速度を低減させる減衰部材が組み込まれている
ことを特徴とする窓開閉ロック装置。
【発明の詳細な説明】
【技術分野】
【０００１】
本願が開示する発明は、窓枠内に建て込まれた障子が屋内外方向に開閉される形態の窓サッシに適用可能なロック装置に関し、より詳細には、障子を閉じると自動的に施錠される機構を備えた窓開閉ロック装置に関する。
【背景技術】
【０００２】
窓枠内に建て込まれた障子を屋内外方向に開閉する開き窓、すべり出し窓、突き出し窓、ルーバー窓、オーニング窓等の窓サッシにおいて、障子の戸先框に取り付けた障子側係合部材と、戸先側の窓枠材に取り付けた枠側係合部材とを互いに係合させて障子を閉止位置に拘束するロック装置が公知である。例えば、特許文献１、２、３等には、縦すべり出し窓における障子側係合部材として、略J字形に屈曲した溝孔を有する障子側受け具（係合枠）を戸先框の見込部の複数箇所に取り付ける一方、枠側係合部材として前記障子側受け具に係脱可能な複数箇所のロックピン（係合ピン）と、それらを戸先側の縦枠材に沿って連結する細板状の連動部材（ロックピン連結バー）と、を上下動可能に取り付け、障子を閉じた状態で、窓枠の屋内側に設置した施解錠用レバーを操作することにより、ロックピンを上下動させて障子側受け具に係合させる、という機構を備えた窓開閉ロック装置（施錠装置）が開示されている。
【先行技術文献】
【特許文献】
【０００３】
【特許文献１】特開２００２−１８８３３６号公報
【特許文献２】特開２００６−０２２５１５号公報
【特許文献３】特開２０１８−１０４９４７号公報
【発明の概要】
【発明が解決しようとする課題】
【０００４】
一般的なすべり出し窓やルーバー窓は、オペレータ等の開閉機構を操作して障子を開閉するように構成されている。しかし、前記従来のような窓開閉ロック装置は、障子の開閉機構とは別に設けられているので、窓を施錠する際には、オペレータのハンドル等を操作して障子を閉めた後、窓開閉ロック装置の施解錠用レバーを操作して施錠する、という二段階の手順が必要になる。かかる構成では、障子を閉めた後で窓開閉ロック装置の操作をし忘れることがあり得るので、防犯面において改善の余地がある。
【０００５】
本願が開示する発明は前述のような事情に鑑みてなされたもので、障子を閉めると自動的に施錠される窓開閉ロック装置を、できるだけ簡素な機構で提供することを解決課題とする。
【課題を解決するための手段】
【０００６】
前述の目的を達成するために本願が開示する発明の窓開閉ロック装置は、窓枠内に建て込まれて開口面外方向に開閉される障子の戸先框の見込部に受け具が取り付けられ、前記受け具には、前記戸先框の材長方向に延びてその一端が前記障子の閉止側に開口する溝孔が形成される一方、前記戸先框と重なり合う窓枠の見込部には、前記窓枠の材長方向に沿って移動する連動部材を介して、前記受け具の溝孔に係脱するロックピンが組み付けられ、前記障子が閉じられた状態で、前記連動部材が前記ロックピンを前記受け具の溝孔に係合させる「ロック位置」へと移動することにより前記障子が施錠され、前記連動部材が前記ロックピンを前記受け具の溝孔から抜脱させる「アンロック位置」へと移動することにより前記障子が開閉可能になる窓開閉ロック装置において、前記窓枠には、前記連動部材に前記ロック位置側へ移動する向きの付勢力を与えるとともに、その付勢力に抗して前記連動部材を前記アンロック位置に仮止めする施錠機構が設けられており、前記障子が閉じられると、前記障子の戸先框に取り付けられたトリガーが前記施錠機構に備えられた施解錠カムに接触して前記連動部材の仮止めが解除され、前記連動部材が前記付勢力によって前記ロック位置へと移動するように構成された、との基本的構成を採用する。
【０００７】
この構成によれば、窓枠側に取り付けられて「アンロック位置」に仮止めされている連動部材が、障子を閉じる動作によって自動的に、障子の戸先框に取り付けられた受け具にロックピンを係合させる「ロック位置」へと移動して、障子が施錠状態になる。したがって、障子を閉じた後に施錠をし忘れる、といった事態を防止することができる。
【０００８】
さらに、本願が開示する発明の窓開閉ロック装置は、前述の基本的構成に加えて、前記施解錠カムが、前記連動部材に対して前記障子の開閉方向に揺動し得るように枢着され、前記窓枠にはカム案内部を有するカム受け部材が取り付けられて、前記施解錠カムに形成された係合鈎が前記カム案内部に形成された被係合部に係合することにより、前記連動部材が前記アンロック位置に仮止めされ、前記トリガーに形成された応動片が前記施解錠カムに形成された受動片を前記障子の閉止側へ押し込むことにより、前記施解錠カムの前記係合鈎が前記被係合部から外れて前記仮止め状態が解除される、との具体的構成を採用する。この合理的かつ簡素な機構を採用することにより、障子を閉めるときの動作が円滑になって、確実な操作性が得られる。
【０００９】
さらに、前述の構成においては、前記施解錠カムが、前記連動部材にカム取付部材を介して取り付けられており、前記カム取付部材と前記カム受け部材との間に前記付勢力を与える付勢部材が取り付けられている、ものとすることができる。
【００１０】
また、前記窓枠には、前記ロック位置にある前記連動部材をレバー操作によって前記アンロック位置側に移動させる解錠機構が設けられており、前記操作に連動して前記施解錠カムが前記カム受け部材の前記カム案内部内を移動することにより、前記施解錠カムの係合鈎が前記被係合部に係合する、ものとすることもできる。これにより、障子を簡単な操作で開くことができる。
【００１１】
また、前記トリガーが、前記障子の戸先框に取り付けられたトリガー取付プレートを介して、前記障子の閉止側に揺動し得るように保持されており、前記障子を開くときには前記カム案内部に掛止されている前記施解錠カムの受動片に前記障子の閉止側から接触して、前記受動片を乗り越えるように回動しながら前記障子の開放側へと移動する、ものとすることができる。
【００１２】
また、前記施錠機構には、前記連動部材が前記アンロック位置から前記ロック位置へと移動する際の速度を低減させる減衰部材が組み込まれている、ものとすることができる。
【発明の効果】
【００１３】
本願が開示する窓開閉ロック装置によれば、障子を閉じると自動的に、窓枠に取り付けられたロックピンが障子に取り付けられた受け具に係合して障子が閉止状態にロックされるので、障子を閉じた後に施錠をし忘れる事態を防止することができる。
【００１４】
また、本願が開示する窓開閉ロック装置の構成を採用することにより、施錠および解錠時の動作が円滑かつ確実になって操作性が向上する。
【図面の簡単な説明】
【００１５】
【図１】本願が開示する発明の窓開閉ロック装置を採用した縦すべり出し窓の概略的構成を示す斜視図である。
【図２】前記窓開閉ロック装置の全体的構成を、図１の窓の開口面内側から見て示す正面図であり、（ａ）は施錠状態、（ｂ）は解錠状態を示す。
【図３】前記窓開閉ロック装置の解錠状態における要部斜視図である
【図４】前記窓開閉ロック装置の施錠状態における施錠機構を、障子の閉止側から見た側面図（ａ）と、窓の開口面内側から見た正面図（ｂ）である。
【図５】前記窓開閉ロック装置の施錠状態における施錠機構の、図２中のＡ−Ａ位置およびＢ−Ｂ位置における横断面図である。
【図６】障子が閉じられると前記施錠機構によって自動的に施錠される動作を段階的に示す説明図である。
【図７】前記施錠機構によって施錠されている障子が開かれるときの動作を段階的に示す説明図である。
【図８】前記施錠機構における施解錠カムとカム案内部との係合動作を詳細に説明するための拡大図である。
【図９】施錠機構の他の実施形態を示す分解斜視図であり、（ａ）は施錠状態、（ｂ）は解錠状態を示す。
【発明を実施するための形態】
【００１６】
以下、本願が開示する発明の実施の形態について、図面を参照しつつ説明する。
【００１７】
図１〜図８は、本願が開示する発明にかかる窓開閉ロック装置１の一実施形態を示している。この窓開閉ロック装置１が組み込まれる窓サッシは、例えば図１に示すような縦すべり出し窓である。この窓サッシは、窓枠１０と、その枠内に建て込まれた障子２０とが、フリクションステー３０１やオペレータ３０２等を含んで構成される開閉機構３０を介して連結されている。開閉機構３０は、例えば窓枠１０の下枠１０２に沿って設置されており、屋内側に突出するハンドル３０３を回すと、それに連係して障子２０の戸先側が窓枠１０の開口面外方向（屋内外方向）に移動するように構成される。なお、開閉機構３０については公知のものを適宜選択ないし組み合わせて構成することが可能であり、本願が開示する発明においては、その詳細な構成を特に限定しない。
【００１８】
この窓サッシに組み込まれる窓開閉ロック装置１は、障子２０の戸先框２０１の見込部に取り付けられる受け具２と、この戸先框２０１に重なり合う窓枠１０の縦枠１０１の見込部に連動部材４を介して組み付けられるロックピン３と、ロックピン３および連動部材４を縦枠１０１の材長方向（上下方向）に沿って解錠側（アンロック位置）に移動させる解錠機構５および施錠側（ロック位置）に移動させる施錠機構６と、を含んで構成される。
【００１９】
図２に示すように、受け具２には、ロックピン３が係脱する溝孔２１が形成されている。溝孔２１は、戸先框２０１の材長方向に沿って直線状に延びており、その一端（例示形態では下端）には障子２０の閉止側（例示形態では屋内側）に開口するロックピン受渡口２２が形成されている。
【００２０】
受け具２の上下両端には、受け具２を戸先框２０１の見込部にビス止めするための取付片２３がそれぞれ設けられている。これらの取付片２３が障子２０の戸先框２０１に取り付けられると、溝孔２１が戸先框２０１の見込部から所定寸法だけ離れて保持される。例示形態では、この受け具２が障子２０の戸先框２０１の上下二箇所に取り付けられているが、障子２０の大きさや形態によっては、受け具２が三箇所以上に取り付けられていてもよい。
【００２１】
連動部材４は、縁部に階段状のリブが形成された細長い等幅の長尺材で、戸先側の縦枠１０１の見込部にガイドブラケット７を介して取り付けられ、縦枠１０１の見込部に沿って直線往復的に上下動し得るように保持されている。
【００２２】
ガイドブラケット７は、略溝形の断面形状を有する短尺の部材で、その正面部がビス止めによって縦枠１０１に固定されている。そのビスとの干渉を避けるため、連動部材４の横幅方向における中間部には上下に延びる細長い逃げ孔４１が形成されている。ガイドブラケット７は、障子２０を閉じたときに受け具２と重なり合う上下二箇所に取り付けられており、その正面部には、ロックピン３を収容して所定のストロークで上下動させる縦長のロックピンガイド孔７１が、受け具２の溝孔２１と対応する位置に形成されている。
【００２３】
ロックピン３は、受け具２の溝孔２１の幅よりもやや小径の円柱体の頭部に、溝孔２１の幅よりもやや大径の鍔部３１（図３、図５（ａ）参照）を形成した部材である。ロックピン３は、例えば横断面コ字形のロックピン取付金具３２等を介して、連動部材４の所定位置に止め付けられる。例示形態では、障子２０の建て付けに合わせてロックピン３の取付位置を微調整し得るように、ロックピン取付金具３２に横長孔が形成され、その横長孔に螺合される固定ネジを操作できるように、ガイドブラケット７のロックピンガイド孔７１の上下に、ロックピン３の径よりも幅の狭いネジ操作孔７２が延出されている。
【００２４】
連動部材４の適所（例示形態では下端近傍）には、連動部材４を手動操作でアンロック位置に移動させる解錠機構５が連結されている。解錠機構５は、縦枠１０１の屋内側に取り付けられた収納式の操作レバー５１と、この操作レバー５１に結合されたクランクアーム５２とを具備し、クランクアーム５２の先端に形成された略Ｌ字状のカム溝５３が、連動部材４に取り付けられた作動ピン４３に係合している。この操作レバー５１を、例示形態では上向きに持ち上げると、クランクアーム５２が下向きに回動して作動ピン４３を押し下げ、それによって連動部材４およびロックピン３が下向きに移動する。
【００２５】
さらに連動部材４には、障子２０が閉じられると、連動部材４を自動的にロック位置に移動させる施錠機構６が、ロックピン３と受け具２との係脱位置から若干離れて組み付けられている。本願が開示する発明の要部は、この施錠機構６の構成および動作にあり、以下、それについて詳述する。
【００２６】
例示形態の施錠機構６は、連動部材４の下端に連結された「カム取付部材」としてのカム取付プレート６１、カム取付プレート６１に取り付けられた施解錠カム６２、窓枠１０に固定される「カム受け部材」としてのカム受けブラケット６３、カム取付プレート６１とカム受けブラケット６３との間に取り付けられた「付勢部材」としての引張コイルばね６４、障子２０に取り付けられたトリガー取付プレート８１およびトリガー８２、等を含んで構成される。
【００２７】
カム取付プレート６１は、連動部材４と略等幅で上下方向に延び、中間部の横幅が広くなっている薄板状の部材で、上端が連動部材４の下端に結合され、連動部材４と一体的に上下動する。カム取付プレート６１の中間部には、施解錠カム６２が取り付けられている。
【００２８】
施解錠カム６２は、図８に拡大して示すように、正面視略円形の枢着基部６２１と、枢着基部６２１の下方に延び出す細幅の首部６２２と、首部６２２の下部から障子２０の開放側（例示形態では屋外側）に突出する係合鈎６２３と、首部６２２の屋内側の側縁から窓枠１０の開口面内側に屈曲して突き出す受動片６２４と、を有している。より詳細には、首部６２２の屋外側の辺縁に接続する枢着基部６２１の辺縁に、枢着基部６２１の高さの略半分程度にわたって直線状にカットされた斜辺縁６２５が形成されている。また、係合鈎６２３は、その上辺縁が屋外側に向かって斜め上向きに延び、側辺縁が円弧状に湾曲して略水平な底辺縁に連続する形状をなしている。そして、枢着基部６２１の中心付近がリベット６２６等を介してカム取付プレート６１に枢着されることにより、施解錠カム６２全体が障子２０の開閉方向に揺動し得るように保持される。
【００２９】
カム受けブラケット６３は、ガイドブラケット７よりもやや幅の広い略溝形の断面形状を有し、カム取付プレート６１を囲むようにして縦枠１０１に添設され、正面部が窓枠１０の縦枠１０１にビス止めされている。それらのビスとの干渉を避けるため、カム取付プレート６１には上下方向に延びる三箇所の上下動ガイド孔６１１、６１２、６１３が形成されている。また、カム受けブラケット６３の下縁近傍には付勢部材としての引張コイルばね６４が掛止されており、引張コイルばね６４の他端はカム取付プレート６１の下端近傍に掛止されている。カム受けブラケット６３を介して窓枠１０側に掛止されたこの引張コイルばね６４が、カム取付プレート６１およびこれに連結される連動部材４に対して、それらを上向きに移動させる付勢力を与えることになる。
【００３０】
カム受けブラケット６３の正面部には、施解錠カム６２を収容して上下動および揺動させるカム案内部６３１が設けられている。カム案内部６３１は、図８に拡大して示すように、施解錠カム６２をロック位置からアンロック位置まで上下動させ得る高さの窓孔状に形成されており、上半部は施解錠カム６２の枢着基部６２１よりもわずかに幅の広い縦長孔で、下半部は上半部よりも障子２０の閉止側（屋内側）に拡幅している。下半部における屋外側の側辺縁は、上半部から連続して垂直線状に延び、一旦、屋内側へ斜め下向きに延びるテーパ辺縁６３２を経由して、再び下向きの短垂下縁６３３につながり、その下端から屋外側へ斜め上向きに反転して、凹部を形成するように湾曲しつつ水略平な底辺縁に接続する形状をなしている。そして、屋外側に斜め上向きに反転した部分の下辺縁が施解錠カム６２の係合鈎６２３を係合させるための被係合部６３４となる。施解錠カム６２がカム案内部６３１の下半部に移動して、係合鈎６２３を被係合部６３４に係合させた状態がアンロック位置となり、係合鈎６２３が被係合部６３４から外れて施解錠カム６２がカム案内部６３１の上半部に移動した状態がロック位置となる。
【００３１】
一方、障子２０に取り付けられるトリガー取付プレート８１は、略矩形の薄板状部材であり、屋外側の側縁二箇所に形成された切込みの上下に位置する各固定片８１１が障子２０の戸先框２０１の見込面にビス止めされる。切込みに挟まれた中間部分は戸先框２０１の見込面と直交するように屈曲されて、トリガー押え片８１２となされている。トリガー取付プレート８１の上部寄りには平頭状のピン８３が接合されており、このピン８３にトリガー８２が枢着されて、戸先框２０１の見込面と平行に揺動しうるように保持される。
【００３２】
トリガー８２は、ピン８３に枢着される上部が半円形で、下部が長矩形の正面形状をなす薄板状の部材である。トリガー８２がピン８３に枢着された状態では、屋外側の側縁がトリガー取付プレート８１のトリガー押え片８１２に添接し、それ以上屋外側には揺動しないように拘束される。トリガー８２の屋内側の側縁の下部には、戸先框２０１の見込面と直交するように延び出す応動片８２１が形成されている。そして、障子２０を閉じたときにトリガー８２の応動片８２１が、アンロック位置に係合している施解錠カム６２の受動片６２４に当接するように、トリガー取付プレート８１が位置決めされている。
【００３３】
図６および図７を参照して、障子２０を開閉するときの各部の動作を説明する。
【００３４】
障子２０が開かれている状態では、図６（ａ）に示すように、施解錠カム６２がカム案内部６３１の下半部に移動して、係合鈎６２３が被係合部６３４に係合している。したがって、この施解錠カム６２が取り付けられているカム取付プレート６１と、これに連結された連動部材４およびロックピン３も、この高さ（アンロック位置）に仮止めされている。
【００３５】
この状態で障子２０が閉じられると、図６（ｂ）に示すように、障子２０に取り付けられたトリガー８２の応動片８２１が施解錠カム６２の受動片６２４に当接する。このとき、同図には表していないが、障子２０の上方に取り付けられている受け具２は、そのロックピン受渡口２２にロックピン３を迎え入れる位置にくる。もう少し障子２０が閉じられると、図６（ｃ）に示すように、トリガー８２が施解錠カム６２を屋内側に押し込んで、施解錠カム６２の係合鈎６２３がカム案内部６３１の被係合部６３４から外れる。
【００３６】
こうして前述の仮止め状態から解放されたカム取付プレート６１は、図６（ｄ）〜（ｅ）に示すように、引張コイルばね６４の付勢力によって瞬時に引き上げられる。これに伴って連動部材４およびロックピン３も上向きに移動し、その結果、図２（ａ）に示したように、ロックピン３が受け具２の溝孔２１の奥部まで入り込んで、障子２０の開閉ができなくなる。このように、障子２０を閉じるだけで、トリガー８２と施解錠カム６２との接触に応動してロックピン３が受け具２に係合し、自動的に施錠される。
【００３７】
閉じられている障子２０を開くときは、図７（ａ）に示した施錠状態から、解錠機構５の操作レバー５１を手動で操作して、引張コイルばね６４の付勢力に抗しながら連動部材４を押し下げる。すると、図７（ｂ）〜（ｃ）に示すように、連動部材４に連結されているカム取付プレート６１も下降し、施解錠カム６２がカム案内部６３１の下半部に移動して、係合鈎６２３を被係合部６３４に係合させる。こうして連動部材４がアンロック位置に仮止めされると、ロックピン３も受け具２のロックピン受渡口２２の高さにくるので、そのまま障子２０を開くことができる。
【００３８】
なお、図７（ｃ）の状態では、トリガー８２の応動片８２１が施解錠カム６２の受動片６２４よりも屋内側に位置しているが、障子２０を開くことによってトリガー８２の応動片８２１が施解錠カム６２の受動片６２４に屋内側から接触する。その反力で、図７（ｄ）に示すようにトリガー８２が持ち上げられ、受動片６２４を乗り越えるように回動しながら屋外側へと移動する。
【００３９】
こうして図７（ｅ）に示すように障子２０が開かれた後は、再度、障子２０が閉じられるまで、連動部材４やロックピン３は施解錠カム６２によってアンロック位置に仮止めされたままになる。
【００４０】
本願が開示する発明にかかる窓開閉ロック装置１は、このように構成されているので、窓サッシの開閉機構３０等を操作して障子２０を閉じれば、窓枠１０側に組み付けられたロックピン３が障子２０に取り付けられた受け具２に対して瞬時に係合し、障子２０を施錠状態に保持する。したがって、障子２０を閉じた後に施錠操作をし忘れる、といったトラブルを防止することができる。
【００４１】
また、この窓開閉ロック装置１は、施錠機構６が、ロックピン３と受け具２との係合位置から若干離れて組み付けられている。そして、窓枠１０側の施解錠カム６２と障子２０側のトリガー８２との取り付けに際しては、施解錠カム６２の受動片６２４とトリガー８２の応動片８２１とが接触する高さ数ｍｍの範囲内で、それぞれの取付位置を比較的ルーズに設定することができる。つまり、部材の取り付けに厳密な位置決め精度が要求されないので、様々な窓サッシに対して容易に設置することができる。
【００４２】
さらに、この窓開閉ロック装置１は、電動力やギヤ等を利用する複雑な動力伝達機構にも依存しないので、故障や誤動作を生じにくく、停電の影響も受けず、長期間にわたって安定的に使用することができる。
【００４３】
図８は、図７（ｂ）〜（ｃ）に示した施解錠カム６２の係合動作を、より詳細に説明するための拡大図である。操作レバー５１による解錠操作によって連動部材４が下向きに移動するとき、施解錠カム６２は図８（ａ）に示すように、カム案内部６３１の上半部から直立姿勢で下降し始めて、そのままカム案内部６３１の中間付近に達する。その中間付近から図８（ｂ）に示すように、円弧状に湾曲している係合鈎６２３の側辺縁をカム案内部６３１のテーパ辺縁６３２に接触させて、屋内側に回動しながら、さらに下降する。そして、図８（ｃ）に示すように、施解錠カム６２の係合鈎６２３が短垂下縁６３３よりも低い位置までくると、施解錠カム６２が直立姿勢に戻り、図８（ｄ）〜（ｅ）に示すようにして係合鈎６２３をカム案内部６３１の被係合部６３４に係合させる。
【００４４】
なお、図８（ｃ）〜（ｅ）の動作は、施解錠カム６２を自身の重量バランスだけで直立させるのではなく、施解錠カム６２の枢着基部６２１に形成された斜辺縁６２５と、カム案内部６３１のテーパ辺縁６３２とが当接する箇所（図中▲印）の反力を利用して、施解錠カム６２が直立しやすくなるように枢着基部６２１に回転力を付加している。かかる構成を採用すれば、各部の摩擦等によって施解錠カム６２が円滑に動作しなくなるような事態を防ぐことができる。
【００４５】
図９は、施錠機構の他の実施形態を示している。例示形態の施錠機構６は、連動部材４の下端に連結された「カム取付部材」としての内ケース６５、内ケース６５に取り付けられた施解錠カム６２、窓枠１０に固定される「カム受け部材」としての外ケース６６およびカバープレート６７、内ケース６５と外ケース６６との間に取り付けられた「付勢部材」としての圧縮コイルばね６８、内ケース６５と外ケース６６との間に取り付けられた「減衰部材」としてのダンパー６９、等を含んで構成される。
【００４６】
内ケース６５は、樹脂成形品からなる異形部材で、連動部材４の下端に結合される角筒状部分６５１と、その下方に延設される細い柱状部分６５２と、その下方に設けられたカム取付部６５３と、を具備している。カム取付部６５３には、前述の実施形態と略同形状をなす施解錠カム６２が揺動可能に取り付けられている。
【００４７】
外ケース６６は、内ケース６５を上下動可能に収容する略箱状の樹脂成形品で、背面が窓枠１０の縦枠１０１にビス等で固定され、正面は開口してカバープレート６７で塞がれる。外ケース６６の略下半部には、施解錠カム６２が上下動および揺動し得るカム案内部６３１としての空間が設けられている。その空間の屋外側の縁部は、前述の実施形態のカム案内部６３１と同様に、テーパ辺縁６３２、短垂下縁６３３、被係合部６３４等を有する形状に形成されている。カバープレート６７には、施解錠カム６２の受動片６２４を突出させる窓孔６７１が形成されている。
【００４８】
外ケース６６のカム案内部６３１と内ケース６５の角筒状部分６５１との間には、付勢部材としての圧縮コイルばね６８が収容されており、この圧縮コイルばね６８が、内ケース６５およびこれに連結される連動部材４に対して、それらを上向きに移動させる付勢力を与える。また、圧縮コイルばね６８と平行して、その屋内側にピストン形のダンパー６９が組み付けられている。このダンパー６９は、内ケース６５の下方に設けられたカム取付部６５３と、外ケース６６の上端部との間に保持されている。施解錠カム６２の係合が外れて、圧縮コイルばね６８の付勢力により内ケース６５が跳ね上がる際、このダンパー６９が圧縮コイルばね６８の付勢力を減衰させて、内ケース６５をゆっくりと移動させる。施錠機構６にこのようなダンパー６９を組み込むことにより、障子２０が施錠される際の動作音を小さくすることができるとともに、動作部分に指を挟んで怪我をするような事態を防ぐことができる。このダンパー６９には、オイル、バネ、ガス等、適宜の減衰手段を採用することができる。また、ピストン形のダンパーだけでなくロータリーダンパー等も採用することができる。
【００４９】
図示は省くが、障子側に取り付けられるトリガー取付プレートおよびトリガーは、前述の実施形態と特に差異はない。そして、このような構成によっても、前述の実施形態と同様の操作性を得ることができる。
【００５０】
以上、本願が開示する発明の実施形態を例示したが、この発明の技術的範囲は、例示形態によって限定的に解釈されるべきものではなく、特許請求の範囲の記載に基づいて概念的に解釈されるべきものである。本願が開示する発明の実施に際しては、例示形態と実質的に同様の動作や作用効果が得られる範囲内で、装置各部を構成する部材の形状、材質、配置、取り合い等を適宜、改変することが可能である。
【００５１】
また、本願が開示する発明に係る窓開閉ロック装置は、例示したような縦すべり出し窓だけでなく、その他の開閉形態を採用する窓の戸先部分に幅広く採用することができる。その戸先部分は、縦向きでなく横向きの部位であってもよい。
【符号の説明】
【００５２】
１  窓開閉ロック装置
２  受け具
２１  溝孔
２２  ロックピン受渡口
２３  取付片
３  ロックピン
３１  鍔部
３２  ロックピン取付金具
４    連動部材
４１  逃げ孔
４３  作動ピン
５  解錠機構
５１  操作レバー
５２  クランクアーム
５３  カム溝
６  施錠機構
６１  カム取付プレート（カム取付部材）
６１１  上下動ガイド孔
６１２  上下動ガイド孔
６１３  上下動ガイド孔
６２  施解錠カム
６２１  枢着基部
６２２  首部
６２３  係合鈎
６２４  受動片
６２５  斜辺縁
６２６  リベット
６３  カム受けブラケット（カム受け部材）
６３１  カム案内部
６３２  テーパ辺縁
６３３  短垂下縁
６３４  被係合部
６４  引張コイルばね（付勢部材）
６５  内ケース（カム取付部材）
６５１  角筒状部分
６５２  柱状部分
６５３  カム取付部
６６  外ケース（カム受け部材）
６７  カバープレート
６７１  窓孔
６８  圧縮コイルばね（付勢部材）
６９  ダンパー（減衰部材）
７  ガイドブラケット
７１  ロックピンガイド孔
７２  ネジ操作孔
８１  トリガー取付プレート
８１１  固定片
８１２  トリガー押え片
８２  トリガー
８２１  応動片
８３  ピン
１０  窓枠
１０１  縦枠
１０２  下枠
２０  障子
２０１  戸先框
３０  開閉機構
３０１  フリクションステー
３０２  オペレータ
３０３  ハンドル 
【要約】      （修正有）【課題】障子を閉めると自動的に施錠される窓開閉ロック装置を提供する。【解決手段】窓開閉ロック装置１は、障子の戸先框２０１に取り付けられる受け具２と、戸先側の縦枠１０１に連動部材４を介して組み付けられるロックピン３と、ロックピン３および連動部材４を解錠側（アンロック位置）に移動させて仮止めする解錠機構５および施錠側（ロック位置）に移動させる施錠機構６と、を具備する。施錠機構６は、障子が閉じられると、障子の戸先框２０１に取り付けられたトリガー８２が、縦枠１０１にカム受けブラケット６３を介して取り付けられた施解錠カム６２に接触して施解錠カム６２を動かすことにより連動部材４の仮止めが解除され、その連動部材４が施錠機構６に設けられた引張コイルばね６４の付勢力によってロック位置へと移動するように構成される。【選択図】図２【図１】
0006977976.tif 000002
【図２】
0006977976.tif 000003
【図３】
0006977976.tif 000004
【図４】
0006977976.tif 000005
【図５】
0006977976.tif 000006
【図６】
0006977976.tif 000007
【図７】
0006977976.tif 000008
【図８】
0006977976.tif 000009
【図９】
0006977976.tif 000010